(57)【特許請求の範囲】
【請求項１】
コイルを巻装した鉄心及びこの鉄心と磁気的結合を図るヨークからなる電磁石部と、コイルの励磁及び非励磁により駆動される可動枠と、電磁石部の片側に設けられて可動枠の動きに応じて負荷を開閉する主接点部と、電磁石部の他方側に設けられて主接点部の開閉と連動して同時に開閉する補助接点部とを備えたリレーであって、補助接点部は、固定接点が設けられた補助接点板と、２片の一端が連結され且つ各片の他端に固定接点と対向して固定接点と接離する可動接点がそれぞれ設けられた補助接点ばねとから成り、補助接点ばねは、可動接点の部位が櫛歯状に形成され、補助接点部は、補助接点ばね及び補助接点板を１組として２組設けられたことを特徴とするリレー。
【発明の詳細な説明】
【技術分野】
【０００１】
本発明は、リレー、特にラッチング型のリモコンリレーに関する。
【背景技術】
【０００２】
従来、比較的大きな負荷を開閉するための主接点部と、信号電流を開閉するための補助接点部とを設けたリレーが知られている。このようなリレーにおいて、補助接点部は主接点部の開閉と連動して開閉することで、主接点部の開閉の状態を検知するようになっている。この補助接点部の接点として双子型接点を用いたものがあり、例えば特許文献１に開示されている。特許文献１記載のリレーは、可動接点を設けた可動接点ばねが電磁石装置のアマチュアに駆動され、該可動接点が固定接点に接離することで接点の開閉を行うものであって、該可動接点ばねの可動接点を設ける側が２片に分離されて各片に可動接点を設けて成る双子型接点を有する。このように可動接点を２片に分離することで、一方の接点が接触不良になっても他方の接点が正常に接触するため、補助接点部の接触信頼性を向上している。
【特許文献１】特開昭６２−２２３９２９号公報
【発明の開示】
【発明が解決しようとする課題】
【０００３】
しかしながら、上記のようなリレーでは、主接点部の開閉に伴うアーク熱によって接点が活性化することで生じる粉末が補助接点部に飛来し、この粉末が固定接点又は可動接点の表面に付着してしまった場合に、固定接点と可動接点との接触が不十分となり補助接点部の接触信頼性が低下するという問題があった。
【０００４】
本発明は、上記の点に鑑みて為されたもので、補助接点部における接触信頼性を高めることのできるリレーを提供することを目的とする。
【課題を解決するための手段】
【０００５】
請求項１の発明は、上記目的を達成するために、コイルを巻装した鉄心及びこの鉄心と磁気的結合を図るヨークからなる電磁石部と、コイルの励磁及び非励磁により駆動される可動枠と、電磁石部の片側に設けられて可動枠の動きに応じて負荷を開閉する主接点部と、電磁石部の他方側に設けられて主接点部の開閉と連動して同時に開閉する補助接点部とを備えたリレーであって、補助接点部は、固定接点が設けられた補助接点板と、２片の一端が連結され且つ各片の他端に固定接点と対向して固定接点と接離する可動接点がそれぞれ設けられた補助接点ばねとから成り、補助接点ばねは、可動接点の部位が櫛歯状に形成され、補助接点部は、補助接点ばね及び補助接点板を１組として２組設けられたことを特徴とする。
【発明の効果】
【０００７】
請求項１の発明によれば、コイルを巻装した鉄心及びこの鉄心と磁気的結合を図るヨークからなる電磁石部と、コイルの励磁及び非励磁により駆動される可動枠と、電磁石部の片側に設けられて可動枠の動きに応じて負荷を開閉する主接点部と、電磁石部の他方側に設けられて主接点部の開閉と連動して同時に開閉する補助接点部とを備えたリレーであって、補助接点部は、固定接点が設けられた補助接点板と、２片の一端が連結され且つ各片の他端に固定接点と対向して固定接点と接離する可動接点がそれぞれ設けられた補助接点ばねとから成り、補助接点ばねは、可動接点の部位が櫛歯状に形成されたので、可動接点又は固定接点の一部に異物が付着する等しても、付着していない部位において正常に開閉できるために、補助接点部の接触信頼性を向上することができる。また、補助接点部は、補助接点ばね及び補助接点板を１組として２組設けられたので、一方の組に異物が付着する等して使用できない場合にも、他方の組が正常に開閉できるために、補助接点部の動作信頼性を高めることができる。
【発明を実施するための最良の形態】
【０００９】
以下、本発明の実施形態について図面を用いて説明する。尚、以下の説明では、ベース７の短手方向において、図１（ａ）における手前側を左方向、奥側を右方向とし、ベース７の長手方向において、図１（ａ）における手前側を後方向、奥側を前方向とし、図１（ａ）における上下を上下方向と定める。
本実施形態のリレーは、図１（ａ）に示すように、コイル１３を巻装した鉄心１０及びこの鉄心１０と磁気的結合を図るヨーク１１からなる電磁石部１と、コイル１３の励磁及び非励磁により駆動される可動枠２と、可動枠２の動きに応じて負荷を開閉する主接点部３と、主接点部３の開閉と連動して同時に開閉する補助接点部４とを備え、電磁石部１は絶縁材から成るベース７の上面中央に配置される。また、ベース７の上面には、一定の間隔を空けて上方へと突出した２つの絶縁壁７０、７１が設けられており、左側の絶縁壁７０の外側に主接点部３が配置され、右側の絶縁壁７１上に補助接点部４が配設される。
主接点部３は、略矩形状の主接点ばね３０と、略矩形状の主接点板３１とから成り、何れも導電性材料で形成される。主接点ばね３０は、その基部が導電性の端子板（図示せず）に固着されて、該端子板の下端部をベース７上面に設けられた挿通孔（図示せず）に挿通することでベース７に配置される。また、主接点板３１も、その下端部をベース７上面に設けられた挿通孔に挿通することでベース７に配置される。主接点ばね３０の先端部には可動接点３０ａが固着され、主接点板３１の上端部には、該可動接点３０ａと対向する固定接点３１ａが固着されている。
補助接点部４は、図１（ｂ）に示すように、略矩形状の補助接点板４１と、略矩形状の２片の左端部を連結した略コ字状の補助接点ばね４０とから成り、何れも導電性材料で形成される。補助接点板４１の上端部には固定接点４１ａが固着され、補助接点ばね４０の各片の右端部には、固定接点４１ａと対向する可動接点４０ａがそれぞれ固着されている。可動接点４０ａは、何れも複数のスリットを設けた櫛歯状に形成されている。
補助接点ばね４０の左端部には、導電性の補助端子板４０ｂの上端部がかしめ固定され、該補助端子板４０ｂの下端部を右側の絶縁壁７１上面に設けられた挿通孔に挿通することでベース７に配置される。また、補助接点板４１も、その下端部を右側の絶縁壁７１上面に設けられた挿通孔に挿通することでベース７に配置される。尚、補助接点ばね４０は、可動接点４０ａが補助接点板４１の固定接点４１ａと接触する方向に付勢されている。
電磁石部１のヨーク１１は、前端部が上方へと折曲された略Ｌ字状に形成され、その後端の左右両端部には略矩形状の磁極片１２が夫々対向して立設されている。ヨーク１１には、コイル１３を外周に巻装したコイル枠１６が取り付けられ、該コイル枠１６の内部に鉄心１０を挿通し、その前端がヨーク１１の上方へと折曲した片に固定される。鉄心１０の後端部はコイル枠１６から露出し、その左右両側面を磁極面１０ａとして、磁極面１０ａが磁極片１２の間に挟まれて一対の空隙が形成されている。
コイル枠１６の前端部は厚肉に形成された鍔部１４となっており、この鍔部１４にコイル１３の端末と接続される３つのコイル端子１５ａ〜１５ｃが上端及び下端を突出した状態で埋設されている。コイル端子１５ｃは共通端子で、他は主接点部３をオンするセット端子１５ａと、主接点部３をオフするリセット端子１５ｂである。また、鍔部１４の上面には突台１４ａが上方へと突設されておりこの突台１４ａの略中央には、略円柱形状の回転軸１４ｂが上方へと突設されている。
可動枠２は、絶縁性材料から成り、前端部が丸味を帯びた略Ｌ字状に形成されて前端部には軸穴２０が穿設されている。この軸穴２０に突台１４ａの回転軸１４ｂが挿通して軸支され、可動枠２が回動自在となっている。また、下方に折曲された可動枠２の後端部には、永久磁石（図示せず）を挟持した２枚のアマチュア２５が取り付けられている。
可動枠２の左側面の長手方向における略中央には、左方へと突出する腕部２１が設けられており、該腕部２１から下方にはスリット２２ａが形成された挟持部２２が設けられている。この挟持部２２のスリット２２ａに主接点ばね３０が配置される。さらに、腕部２１は、下方へと略矩形状の隔壁２３が一体に形成され、該隔壁２３によって主接点ばね３０とコイル１３との間の絶縁距離を確保している。また、可動枠２の右側面の長手方向における略中央には、右方へと突出する突部２４が形成されている。
上記各部材を配設したベース７には、箱状で下面を開口した絶縁材から成るカバー８が覆設されるものであり、可動枠２が電磁石部１の上に配設される。ここで、主接点部３の主接点ばね３０は、可動枠２の挟持部２２のスリット２２ａに収められ、突部２４は補助接点ばね４０と対向して配置される。また、鉄心１０の磁極面１０ａと磁極片１２との間に形成された一対の空隙の間にそれぞれアマチュア２５が配置される。
以下、本実施形態のリレーの動作説明をする。コイル１０が非励磁の場合、右側のアマチュア２５が右側の磁極片１２に、左側のアマチュア２５が磁極面１０ａにそれぞれ永久磁石によって吸引されるので、可動枠２が反時計方向に回動した状態となる。したがってスリット２２ａに配置された主接点ばね３０が挟持部２２によって反時計方向に付勢されるために主接点部３がオフ状態となる。同時に、突部２４が補助接点ばね４０を反時計方向に押すために補助接点部４もオフ状態となる。
セット端子１５ａ及び共通端子１５ｃに電圧を印加すると、コイル１３が励磁され、右側のアマチュア２５が磁極面１０ａに、左側のアマチュア２５が左側の磁極片１２にそれぞれ吸引されるために可動枠２が時計方向に回動する。すると、スリット２２ａに配置された主接点ばね３０が挟持部２２によって時計方向に付勢され、主接点ばね３０の可動接点３０ａと主接点板３１の固定接点３１ａとが接触してオン状態となる。同時に、突部２４が補助接点ばね４０から離れるため、補助接点ばね４０の付勢力によって補助接点ばね４０の可動接点４０ａと補助接点板４１の固定接点４１ａとが接触してオン状態となる。ここで、リセット端子１５ｂ及び共通端子１５ｃに電圧を印加すれば、コイル１３が非励磁となるので主接点部３及び補助接点部４は何れもオフ状態となる。
上述のように、補助接点ばね４０の可動接点４０ａを複数のスリットを設けた櫛歯状に形成したので、主接点部３から飛来する粉末等の異物が可動接点４０ａ又は固定接点４１ａの表面に付着した場合に、仮に接点の一部が異物によって接触不良となっても、可動接点４０ａの残りの櫛歯で固定接点４１ａと接触できるため、補助接点部４の接触信頼性を高めることができる。
ところで、図２に示すように、補助接点ばね４０の可動接点４０ａにおいて、一方の可動接点４０ａが他方の可動接点４０ａを囲むように略Ｌ字状に形成してもよい。このように構成することで、他方の可動接点４０ａに異物が付着する等して接触不良となった場合にも、略Ｌ字状の可動接点４０ａによって接触面積を大きくとれるため、補助接点部４の接触信頼性を高めることができる。
また、図３に示すように、補助接点部４を補助接点ばね４０及び補助接点板４１を１組として２組で構成してもよい。このように構成することで、一方の組が故障等で接触不良となった場合にも、他方の組で接触を確保できるために、補助接点部の接触信頼性を高めることができる。
【図面の簡単な説明】
【００１０】
【図１】本発明の実施形態のリレーを示す図で、（ａ）は分解斜視図で、（ｂ）は補助接点ばねを示す図である。
【図２】同上の補助接点ばねの別の形態を示す図である。
【図３】同上の補助接点ばね及び補助接点板を１組として２組設けた場合を示す図である。
【符号の説明】
【００１１】
１  電磁石部
１０  鉄心
１１  ヨーク
１３  コイル
２  可動枠
３  主接点部
４  補助接点部
４０  補助接点ばね
４０ａ  可動接点
４１  補助接点板
４１ａ  固定接点
【図１】
0004622909.tif 000002
【図２】
0004622909.tif 000003
【図３】
0004622909.tif 000004